(57)【要約】【課題】構造が簡単で、入力装置部を小型化、スリム化することができる回転構造を具えたモバイルタイプの入力装置を提供する。【解決手段】モバイルタイプの入力装置が必要とする特定の機能を実行する電子素子と、その部材を内設してなり、且つ軸孔を形成してなるハウジングと、  該ハウジングの軸孔に対応する支持軸を具え、該支持軸によって該ハウジングに回動自在に支持される回転プレートと、  該ハウジングと該回転プレートの内の少なくとも一つに設けられ、該回転プレートがハウジングに対して所定の角度の範囲内で回転するように制限する制限構造とによって構成する。【選択図】図２
2006313533.tif 000002
【特許請求の範囲】
【請求項１】
モバイルタイプの入力装置が必要とする特定の機能を実行する電子素子と、その部材を内設してなり、且つ軸孔を形成してなるハウジングと、
該ハウジングの軸孔に対応する支持軸を具え、該支持軸によって該ハウジングに回動自在に支持される回転プレートと、
該ハウジングと該回転プレートのうちの少なくとも一つに設けられ、該回転プレートがハウジングに対して所定の角度の範囲内で回転するように制限する制限構造とを具えることを特徴とする回転構造を具えるモバイルタイプの入力装置。
【請求項２】
前記制限構造が、該ハウジングに形成されるガイド溝と、該回転プレートに、該ハウジングのガイド溝に対応して設けられ、該ガイド溝内を移動するガイド突起とを含むことを特徴とする請求項１に記載の回転構造を具えるモバイルタイプの入力装置。
【請求項３】
前記回転プレートの回転軸が、該ハウジングに形成される軸孔を貫通し、且つ該回転軸の該軸孔を貫通した一端にキャップを螺着して該ハウジングに連結させることを特徴とする請求項２に記載の回転構造を具えるモバイルタイプの入力装置。
【請求項４】
前記回転軸と該キャップとの間に弾性部材を設け、該ハウジングと該回転プレートとの間に所定の間隔を置くように構成することを特徴とする請求項３に記載の回転構造を具えるモバイルタイプの入力装置。
【請求項５】
前記ハウジングが表示部と入力部とを含み、該軸孔とガイド溝が該表示部に形成されることを特徴とする請求項４に記載の回転構造を具えるモバイルタイプの入力装置。
【請求項６】
前記ハウジングが表示部と入力部とを含み、該軸孔とガイド溝が該入力部に形成されることを特徴とする請求項４に記載の回転構造を具えるモバイルタイプの入力装置。
【請求項７】
前記軸孔が円形であって、該ガイド溝が円弧状を呈することを特徴とする請求項５または請求項６に記載の回転構造を具えるモバイルタイプの入力装置。
【請求項８】
前記ハウジングに収納室を形成し、該軸孔と該ガイド溝とを該ハウジングの収納室の底面に穿設することを特徴とする請求項７に記載の回転構造を具えるモバイルタイプの入力装置。
【請求項９】
前記収納室を蓋体で覆うことを特徴とする請求項８に記載の回転構造を具えるモバイルタイプの入力装置。
【請求項１０】
前記回転軸に螺刻し、該キャップを螺着させることを特徴とする請求項３に記載の回転構造を具えるモバイルタイプの入力装置。
【請求項１１】
前記弾性部材が皿バネであることを特徴とする請求項４に記載の回転構造を具えるモバイルタイプの入力装置。
【請求項１２】
前記キャップが外周に鍔部を具え、該鍔部によって該弾性部材を該ハウジングの方向に押圧して固定することを特徴とする請求項４に記載の回転構造を具えるモバイルタイプの入力装置。
【請求項１３】
前記回転プレートは、一方の面を表示面とし、他方の面に該回転軸と該ガイド突起とを凸状に形成することを特徴とする請求項５に記載の回転構造を具えるモバイルタイプの入力装置。
【請求項１４】
前記回転プレートは、一方の面を入力面とし、他方の面に該回転軸と該ガイド突起とを凸状に形成することを特徴とする請求項６に記載の回転構造を具えるモバイルタイプの入力装置。
【請求項１５】
前記回転プレートの回転軸にねじりバネを挿着し、該ねじりバネの一端を該ハウジングに固定し、他端を該回転プレートに固定することを特徴とする請求項３から請求項６のいずれか一項に記載の回転構造を具えるモバイルタイプの入力装置。
【請求項１６】
前記ハウジングに貫通孔を形成し、該貫通孔に制動ボタンを設けるとともに、該回転プレートに、該制動ボタンに対応する係合溝を形成し、該制動ボタンを該係合溝に係合させて該回転プレートを位置決めすることを特徴とする請求項１５に記載の回転構造を具えるモバイルタイプの入力装置。
【請求項１７】
前記制動ボタンが円柱体であって、且つ該円柱体の一端において外周面の一部が外方向に凸出して制動ブロックを形成するとともに、該制動ブロックの凸出する方向に沿って四隅のうちの一角を面取りすることを特徴とする請求項１６に記載の回転構造を具えるモバイルタイプの入力装置。
【請求項１８】
前記ハウジングの該回転プレートを設ける領域を収納空間とし、且つ該ハウジングの外面から内面の該収納空間に至る制動孔を形成し、該制動孔は開口部が該ハウジングの外面において該貫通孔の開口部の一部と重なり合い、かつ該ハウジングを貫通して該収納空間に至ることを特徴とする請求項１７に記載の回転構造を具えるモバイルタイプの入力装置。
【請求項１９】
前記ハウジングの表面の長手方向の一端に第１ブロック部を一体に形成し、該第１ブロック部に対向する位置に第２ブロック部を一体に形成し、該第１ブロック部と該第２ブロック部との間の領域を収納空間とし、該収納空間に回転プレートを設けるとともに、該第１ブロック部と、該第２ブロック部の該回転プレートに面する側面を該回転プレートの回転する範囲に合わせて円弧状に形成することを特徴とする請求項１８に記載の回転構造を具えるモバイルタイプの入力装置。
【請求項２０】
前記制動ボタンを該ハウジングの外部表面から該貫通孔に挿入し、該貫通孔を貫通して該第１ブロックの表面に至る一端を押圧する操作に供するとともに、該該制動ブロックを該制動孔に収納し、その底端の部分を該制動孔から該ハウジングの収納空間に露出させることを特徴とする請求項１９に記載する回転構造を具えるモバイルタイプの入力装置。
【請求項２１】
前記制動ボタンの一端に弾性体を設け、さらに該貫通孔を封止する蓋体を設けることを特徴とする請求項２０に記載の回転構造を具えるモバイルタイプの入力装置。
【請求項２２】
前記蓋体を該貫通孔の開口部に固定し、該弾性体を該制動ボタンと該蓋体との間に設け、該弾性体の付勢力で該制動ブロックの傾斜面を形成した底端が該ハウジングの収納空間に常時露出した状態となるように構成することを特徴とする請求項２１に記載する回転構造を具えるモバイルタイプの入力装置。
【請求項２３】
前記ガイド溝に緩衝構造を設け、該回転プレートのガイド突起が先に該緩衝構造に接触して衝撃力を減少するように構成することを特徴とする請求項２２に記載の回転構造を具えるモバイルタイプの入力装置。
【発明の詳細な説明】
【技術分野】
【０００１】
この発明は、この発明は回転構造を具えるモバイルタイプの入力装置に関し、特に、携帯電話機、パーソナルディジタルアシスト、モバイルタイプのナビゲート装置などの回動自在の表示装置部、もしくは回動自在の入力装置部を具えたモバイルタイプの入力装置に関する。
【背景技術】
【０００２】
目下、携帯電話機、パーソナルディジタルアシスト、モバイルタイプのナビゲート装置などのモバイルタイプの入力装置は表示装置部と入力装置部とを具える。表示装置部とは、ＳＴＮ、ＴＦＴなどの表示装置を具えた部分であって、入力装置部とはキーパッド、タッチパネルなどの入力装置を具えた部分を指す。また、これら入力装置は、ストレートタイプと折り畳み式（ハッチ式）に大別することができる。即ち、該表示装置部と該入力装置部とが一体に構成されるタイプと、回転構造を介して回動自在に連結するタイプである。
【０００３】
また、２００４年９月２１日に公告された特許文献１は、表示装置部が上方から下方に向かって３６０度回転する。特許文献２は、ハッチ式外カバーを具える。
【０００４】
しかしながら、現在、携帯電話ゲーム（Ｊａｖａ（登録商標）  Ｇａｍｅ）、電子小説など、プロバイダの提供する有料、無料のサービスが盛んに利用されている。これらのサービスは、画面に表示する字数、もしくはページ設定と画面の形式がほとんど横向きの形式に適している。但し、目下のモバイルタイプの入力装置は、握りやすく、体積が小さく軽量であるという要求に合わせてデザインされており、表示装置部の多くは縦向きの形式に固定されている。このため、上述するプロバイダの提供するサービスを利用するためには、横向きの閲覧空間を増やすために手持ちの入力装置部を横向きに置かなければならない。よって、操作上極めて不便である。
【０００５】
さらに、特許文献３には、回転構造を具えるモバイルタイプの入力装置の構造が開示される。即ち、表示装置２２を回転盤２に嵌着し、該回転盤２を固定座３上に設け、位置決め部材２と、第１、第２当止部１２、１３とを具えてなり、回転盤２を固定座３の上で一定の角度回転させて表示装置を一定の角度に回転させる目的を達成する。
【０００６】
しかしながら、前述の考案では、底座と回転盤を組み合わせて構成し、両者はどちらも一定の厚さを具えている。よって、かかる入力装はスリム化が難しい。また、前述の考案は、カバー上に回転盤を設けるための丸い孔を穿設する。表示装置部のサイズがカバーに制限されて、大きなモニタを使用することができない。
【０００７】
また、手持ちの入力装置を使用したＳＭＳ（ＳｈｏｒｔＭｅｓａｇｅＳｅｒｖｉｃｅ、ショートメッセージサービス）の利用者がますます増えてきている。これに伴い、ユーザーは簡易に、手早くメッセージを入力することを望むようになっている。このため、回転構造を表示装置部（表示モニタ）及び入力装置部（キーパッド）に応用して、適宜な角度で回転できるようにすることによって、モバイルタイプの入力装置のユーザーに大きな利便性をもたらすことができる。
【特許文献１】台湾実用新案第２４４６６７号公報
【特許文献２】米国特許第６，０８８，２４０号明細書
【特許文献３】台湾実用新案第５７２５０７号公報
【発明の開示】
【発明が解決しようとする課題】
【０００８】
この発明は構造が簡単で、入力装置部を小型化、スリム化することができる回転構造を具えたモバイルタイプの入力装置を提供することを課題とする。
【課題を解決するための手段】
【０００９】
そこで、本発明者は従来の技術に見られる欠点に鑑み鋭意研究を重ねた結果、モバイルタイプの入力装置が必要とする特定の機能を実行する電子素子と、その部材を内設してなり、且つ軸孔を形成してなるハウジングと、
該ハウジングの軸孔に対応する支持軸を具え、該支持軸によって該ハウジングに回動自在に支持される回転プレートと、該ハウジングと該回転プレートとに設けられ、該回転プレートがハウジングに対して所定の角度の範囲内で回転するように制限する制限構造とを具えるモバイルタイプの入力装置によって課題を解決できる点に着眼し、かかる知見に基づいて本発明を完成させた。
【００１０】
以下、この発明について具体的に説明する。
請求項１における回転構造を具えるモバイルタイプの入力装置は、モバイルタイプの入力装置が必要とする特定の機能を実行する電子素子と、その部材を内設してなり、且つ軸孔を形成してなるハウジングと、該ハウジングの軸孔に対応する支持軸を具え、該支持軸によって該ハウジングに回動自在に支持される回転プレートと、該ハウジングと該回転プレートのうちの少なくとも一つに設けられ、該回転プレートがハウジングに対して所定の角度の範囲内で回転するように制限する制限構造とを具える。
【００１１】
請求項２に記載する回転構造を具えるモバイルタイプの入力装置は、請求項１における制限構造が、該ハウジングに形成されるガイド溝と、該回転プレートに、該ハウジングのガイド溝に対応して設けられ、該ガイド溝内を移動するガイド突起とを含む。
【００１２】
請求項３に記載する回転構造を具えるモバイルタイプの入力装置は、請求項２における回転プレートの回転軸が、該ハウジングに形成される軸孔を貫通し、且つ該回転軸の該軸孔を貫通した一端にキャップを螺着して該ハウジングに連結させる。
【００１３】
請求項４に記載する回転構造を具えるモバイルタイプの入力装置は、請求項３における回転軸と該キャップとの間に弾性部材を設け、該ハウジングと該回転プレートとの間に所定の間隔を置くように構成する。
【００１４】
請求項５に記載する回転構造を具えるモバイルタイプの入力装置は、請求項４におけるハウジングが表示部と入力部とを含み、該軸孔とガイド溝が該表示部に形成される。
【００１５】
請求項６に記載する回転構造を具えるモバイルタイプの入力装置は、請求項４におけるハウジングが表示部と入力部とを含み、該軸孔とガイド溝が該入力部に形成される。
【００１６】
請求項７に記載する回転構造を具えるモバイルタイプの入力装置は、請求項５または請求項６における軸孔が円形であって、該ガイド溝が円弧状を呈する。
【００１７】
請求項８に記載する回転構造を具えるモバイルタイプの入力装置は、請求項７におけるハウジングに収納室を形成し、該軸孔と該ガイド溝とを該ハウジングの収納室の底面に穿設する。
【００１８】
請求項９に記載する回転構造を具えるモバイルタイプの入力装置は、請求項８における収納室を蓋体で覆う。
【００１９】
請求項１０に記載する回転構造を具えるモバイルタイプの入力装置は、請求項３における回転軸に螺刻し、該キャップを螺着させる。
【００２０】
請求項１１に記載する回転構造を具えるモバイルタイプの入力装置は、請求項４における弾性部材が皿バネである。
【００２１】
請求項１２に記載する回転構造を具えるモバイルタイプの入力装置は、請求項４におけるキャップが外周に鍔部を具え、該鍔部によって該弾性部材を該ハウジングの方向に押圧して固定する。
【００２２】
請求項１３に記載する回転構造を具えるモバイルタイプの入力装置は、請求項５における回転プレートが、一方の面を表示面とし、他方の面に該回転軸と該ガイド突起とを凸状に形成する。
【００２３】
請求項１４に記載する回転構造を具えるモバイルタイプの入力装置は、請求項６における回転プレートが、一方の面を入力面とし、他方の面に該回転軸と該ガイド突起とを凸状に形成する。
【００２４】
請求項１５に記載する回転構造を具えるモバイルタイプの入力装置は、請求項３から請求項６のいずれか一項における回転プレートの回転軸にねじりバネを挿着し、該ねじりバネの一端を該ハウジングに固定し、他端を該回転プレートに固定する。
【００２５】
請求項１６記載する回転構造を具えるモバイルタイプの入力装置は、請求項１５におけるハウジングに貫通孔を形成し、該貫通孔に制動ボタンを設けるとともに、該回転プレートに、該制動ボタンに対応する係合溝を形成し、該制動ボタンを該係合溝に係合させて該回転プレートを位置決めする。
【００２６】
請求項１７に記載する回転構造を具えるモバイルタイプの入力装置は、請求項１６における制動ボタンが円柱体であって、且つ該円柱体の一端において外周面の一部が外方向に凸出して制動ブロックを形成するとともに、該制動ブロックの凸出する方向に沿って四隅のうちの一角を面取りする。
【００２７】
請求項１８に記載する回転構造を具えるモバイルタイプの入力装置は、請求項１７におけるハウジングの該回転プレートを設ける領域を収納空間とし、且つ該ハウジングの外面から内面の該収納空間に至る制動孔を形成し、該制動孔は開口部が該ハウジングの外面において該貫通孔の開口部の一部と重なり合い、かつ該ハウジングを貫通して該収納空間に至る。
【００２８】
請求項１９に記載する回転構造を具えるモバイルタイプの入力装置は、請求項１８におけるハウジングの表面の長手方向の一端に第１ブロック部を一体に形成し、該第１ブロック部に対向する位置に第２ブロック部を一体に形成し、該第１ブロック部と該第２ブロック部との間の領域を収納空間とし、該収納空間に回転プレートを設けるとともに、該第１ブロック部と、該第２ブロック部の該回転プレートに面する側面を該回転プレートの回転する範囲に合わせて円弧状に形成する。
【００２９】
請求項２０に記載する回転構造を具えるモバイルタイプの入力装置は、請求項１９における制動ボタンを該ハウジングの外部表面から該貫通孔に挿入し、該貫通孔を貫通して該第１ブロックの表面に至る一端を押圧する操作に供するとともに、該該制動ブロックを該制動孔に収納し、その底端の部分を該制動孔から該ハウジングの収納空間に露出させる。
【００３０】
請求項２１に記載する回転構造を具えるモバイルタイプの入力装置は、請求項２１における制動ボタンの一端に弾性体を設け、さらに該貫通孔を封止する蓋体を設ける。
【００３１】
請求項２２に記載する回転構造を具えるモバイルタイプの入力装置は、請求項２１における蓋体を該貫通孔の開口部に固定し、該弾性体を該制動ボタンと該蓋体との間に設け、該弾性体の付勢力で該制動ブロックの傾斜面を形成した底端が該ハウジングの収納空間に常時露出した状態となるように構成する。
【００３２】
請求項２３に記載する回転構造を具えるモバイルタイプの入力装置は、請求項２２におけるガイド溝に緩衝構造を設け、該回転プレートのガイド突起が先に該緩衝構造に接触して衝撃力を減少するように構成する。
【発明の効果】
【００３３】
本発明の回転構造を具えるモバイルタイプの入力装置は、構造が簡単で、入力装置部を小型化、スリム化することができる回転構造を具え、製造工程を簡易化して製品の歩留まりを高めるとともに、入力装置をデザインする上で、ある程度厚みのある表示装置、もしくは入力装置であっても、回転構造で厚さがさらに増すことがないため、柔軟性のあるデザインを実現できるという利点を有する。
【発明を実施するための最良の形態】
【００３４】
この発明は、携帯電話機、パーソナルディジタルアシスト、モバイルタイプのナビゲート装置などの回動自在の表示装置部、もしくは回動自在の入力装置部を具えたモバイルタイプの入力装置を提供するものであって、モバイルタイプの入力装置が必要とする特定の機能を実行する電子素子と、その部材を内設してなり、且つ軸孔を形成してなるハウジングと、該ハウジングの軸孔に対応する支持軸を具え、該支持軸によって該ハウジングに回動自在に支持される回転プレートと、該ハウジングと該回転プレートとに設けられ、該回転プレートがハウジングに対して所定の角度の範囲内で回転するように制限する制限構造とによって構成し、該回転構造の構造を簡易化するという目的を実現した。
係る構成の回転構造を具えるモバイルタイプの入力装置について、その構造と特徴を詳述するために具体的な実施例を挙げ、以下に説明する。
【実施例１】
【００３５】
以下、回動自在に設けた表示部を具える携帯電話機を例として、この発明の構造、特徴を説明する。但し、この発明は回動自在に設けた入力部を具えるその他モバイルタイプの入力装置に応用することもできる。
【００３６】
図１から図８に開示するように、実施例における携帯電話機は表示部１１１と入力部１２とを具えるハウジング３０を具え、図１に開示するように、該ハウジング３０の表示部１１１を設ける部分と、該ハウジング３０の入力部１２を設ける部分とが二つの部分に分かれ、且つ該二つの部分が支軸を介して回動自在に連結して折り畳み式の形態を構成する。但し、図８に開示するようにストレートタイプにしてもよい。いずれの実施形態であろうと、この発明の実施の範囲を限定するものではない。
【００３７】
表示部１１１は、回転プレート３３に取りつけられ、該回転プレート３３はハウジング３０に対して回動自在に設けられる。図１に、ハウジング３０に回転プレート３３が密接した状態を開示する。即ち、図示するように回転プレート３３のハウジング３０に対する回転角度が０°の状態である。
【００３８】
図２には、ハウジング３０と回転プレート３３とが直交した状態を開示する。即ち、図示するように回転プレート３３のハウジング３０に対する回転角度が９０°の状態である。
【００３９】
図３、図６、図８に開示するように、この発明は回転構造を具えるモバイルタイプの入力装置を提供するものであって、図３、図６に開示する入力装置は表示部１１１と入力部１２とを具えるハウジング３０を具え、図１に開示するように、該ハウジング３０の表示部１１１を設ける部分と、該ハウジング３０の入力部１２を設ける部分とが二つの部分に分かれ、且つ該二つの部分が支軸を介して回動自在に連結して折り畳み式の形態を構成する。また、表示部１１１を取りつける回転プレート３３をハウジング３０に回動自在に設ける。
【００４０】
ハウジング３０は、回転プレート３３が接触する内表面３４１と、外部表面３２７とを具える。外部表面３２７には凹状の収納室３２１を形成し、該収納室３２１の内部壁面３２８に螺刻し、蓋体３２６を螺着する。また、収納室３２１の底面には円形の軸孔３２２を穿設する。また、軸孔３２２と内部壁面３２８との間には円周の４分の１のガイド溝３２３を形成する。
【００４１】
回転プレート３３は表示面３３１（図８における入力面８１）を具え、背面、即ち該表示面３３１（入力面８１）の反対側の面には突起状の回転軸３３２と、ガイド突起３３３を形成する。回転軸３３２は外周面に螺刻する。回転プレート３３をハウジング３０に設ける場合、回転軸３３２は一端がハウジング３０の軸孔３２２を、ガイド突起３３３は一端がガイド溝３２３をそれぞれ貫通する。ハウジング３０の内表面３４１から軸孔３２３を貫通した回転軸３３２の一端には、皿バネ３２４を挿着し、鍔部６２（図６参照）を有するキャップ３２５を螺着して、更に蓋体３２６を収納室３２１の開口部に設ける。皿バネ３２４は収納室３２１の底面である収納面３２９とキャップ３２５との間に設けられ、回転プレート３３と、ハウジング３０との間に所定の間隔を保持する作用を有する。また、回転軸３３２、軸孔３２２、皿バネ３２４、キャップ３２５、及び蓋体３２６はいずれも同心円であって、共通の軸心に設けられる。
【００４２】
回転プレート３０がハウジング３０に対して所定の角度回転する場合、ガイド突起３３３は、回転プレート３０の回転の動作に同期してガイド溝３２３内を移動する。よって、ガイド突起３３３がガイド溝３２３内を移動できる範囲内において、表示面３３１（入力面８１）を回転させる角度を調整することができる。即ち、表示部１１１の角度、もしくは図８における入力面８１の角度を調整することができる。
【００４３】
図３に開示するように、ハウジング３０の表示部１１１を設ける部分は、内表面３４１側の長手方向の両端にそれぞれ第１ブロック部３４２、第２ブロック部３４３を一体に形成し、内表面３４１上の該第１ブロック部３４２、第２ブロック部３４３の間の領域を収納空間３４４とし、該収納空間３４４に回転プレート３３を設ける。また、第１ブロック部３４２と、第２ブロック部３４３の回転プレート３３に面する側面を回転プレート３３の回転する範囲に合わせて円弧状に形成する。
【００４４】
図４は回転プレート３３をハウジング３０に対して９０°回転させた状態を示す説明図である。図５は回転プレート３３のハウジング３０に対する回転角度が０°の状態を示す説明図である。図面から明らかなように回転部材３３を回転させるとガイド突起３３３のガイド溝３２３内における位置が移動する。
【００４５】
図６に開示するようにハウジング３０の内表面３４１の回転プレート３３に対応する位置に凹溝６１を形成する。このためハウジング３０の内表面３４１と回転プレート３３との接触面積が減少し、回転プレート３３を順調に回転させることができる。また、回転軸３３２は中空に形成する。よって、射出成形した後の冷却速度を均一化し、プラスティック射出成形における湾曲などの欠陥の発生を防ぐことができる。
【００４６】
キャップ３２５の内径は、回転軸３３２の外形より大きくする。また、キャップ３２５の外周面に形成される鍔部６２は0３２４を押圧し、ハウジング３０上に固定させる作用を有する。
【００４７】
回転プレート３３は、表示装置か、もしくは入力装置を具えてなり、表示装置はＳＴＮか、ＴＦＴか、ＯＬＥＤなどであって、入力装置はキーパッドか、もしくはタッチパネルなどである。皿バネ３２４は波型バネか、もしくはその他如何なる弾性部材であってもよい。
【００４８】
実施例においては、ハウジング３０の収納室３２１内にガイド溝３２３を形成し、支持パネル３３の背面にガイド突起３３３を形成して位置制限構造とする。即ち回転プレート３３の回転角度の範囲を制限し、回転プレート３３はハウジング３０に設定された角度の範囲内で回転する。しかしながら、位置制限構造は係るガイド溝３２３と、ガイド突起３３３とによってなるものに限らない。本発明の思想に基づき、位置制限作用を提供する構造は、いずれもこの発明の位置制限構造の範囲に属するものとする。
【実施例２】
【００４９】
図９から１３に第２の実施例を開示する。第２の実施例は、上述する第１の実施例と基本的な構造は同じであるが、ねじりバネとストッパー構造を設け、自動回転機能を達成する点において異なる。
【００５０】
図１０に開示するように、回転プレート３３とハウジング３０の収納空間３４４底面との間にねじりバネ３６１を設ける。ねじりバネ３６１は回転軸３３２に挿着し、その一端をハウジング３０の収納空間３４４の内表面３４１に固定し、他端を回転プレート３３の背面に固定し、ねじりバネ３６１の付勢力によって、回転プレート３３が何ら抵抗力を受けない状況下において所定の角度で自動的に回転する。
【００５１】
図１０から１３に開示するように、ハウジング３０の第１ブロック部３４２の一端に、該第１ブロック部３４２を内表面３４１側から外部表面３２７側に貫通する貫通孔３４６を形成するとともに、開口の一部が該貫通孔３４６の外部表面３２７側の開口部の一部と重なり合い、かつ該開口部からハウジング３０を貫通してハウジング３０の収納空間３４４に至る制動孔３４７を形成する。貫通孔３４６には、円柱体の一端において外周面の一部が外方向に凸出して一体に形成される制動ブロック３５１１を有する制動ボタン３５１を挿入する。また、制動孔３４７の制動ブロック３５１を形成する一端の端面には、例えば凹溝などの弾性体の一端を位置決めする構造を形成する。
【００５２】
該制動ボタン３５１を貫通孔３４６に挿入する場合は、該制動ブロック３５１１を形成しない一端を先にして、ハウジング３０の外部表面３２７から貫通孔３４６に挿入し、例えばコイルバネである弾性体３５２の一端を制動ブロック３５１の端面に位置決めし、さらに貫通孔３４６を封止する弾性体固定部３５３を設ける。弾性体固定部３５３は、例えば螺着などの方法で貫通孔３４６の開口部に固定する。この場合、該制動ブロック３５１１は制動孔３４７に収納され、その底端の部分が制動孔３４７からハウジング３０の収納空間３４４に露出する。また、制動ブロック３５１１の収納空間３４４に露出する部分は、一方の角を面取りして傾斜面３５１２を形成する。制動ボタン３５１の該貫通孔３４６を貫通して第１ブロック３４２の表面に至る一端は、制動ボタン３５１を押圧する操作に供する。
【００５３】
上述するように制動ボタン３５２を貫通孔３４２に設けることによって、制動ブロック３５１は、弾性体３５２の付勢力で傾斜面３５１２を形成した底端がハウジング３０の収納空間３４４に常時露出した状態となる。
【００５４】
図１１、１２に開示するように、回転プレート３３は、背面に係合溝３３５を形成する。該係合溝３３５は、回転プレート３３を回転させない状態において該制動ブロック３５１１の制動孔３４７から露出した部分に対応する位置に形成し、該制動ブロック３４７の露出した部分が係合溝３３５に係合して回転プレート３３の回転運動を阻止するように構成する。この状態において、制動ボタン３５１の第１ブロック３４２側の一端を押圧すると、制動ブロック３５１１が制動孔３４７内に引き込み、回転プレート３３の回転運動に対する阻止が解除され、回転プレート３３がねじりバネ３６１の付勢力によって自動的に回転し、ガイド突起３３３がガイド溝３２３の一端に当止して、回転プレート３３の回転運動が止まる。
【００５５】
ねじりバネ３６１の付勢力によって回転した回転プレート３３を本来の位置に復帰させる場合、回転プレートを回転させると回転プレート３３の側面が制動ブロック３５１１の制動孔３４７から露出した部分に形成された傾斜面３５１２に接触し、傾斜面３５１２の作用によって制動ボタン３５１をハウジング３０の外部表面３２７側に押圧する。よって、制動ブロック３５１１が制動孔３４７内に引き込む。回転プレート３３を引き続いて回転させ、本来の位置に戻すと弾性体３５２の付勢力によって制動ブロック３５１１の底端部が回転プレート３３の係合溝に係合して回転プレート３３を暫時的に固定する。この状態から再度制動ボタン３５１を押圧すると、上述するようにねじりバネ３６１の付勢力によって回転プレート３３が再度回転する。
【００５６】
また、回転プレート３３がねじりバネ３６１の付勢力で回転する場合、付勢力が強すぎるとガイド突起３３３がガイド溝３２３の一端に衝突し、破損する恐れがある。よって、ガイド溝３２３内、もしくはその他適宜な位置に、例えばバネなどの弾性体などによる緩衝構造を設けてもよい。この場合、回転プレート３３のガイド突起３３３が先に該緩衝構造に接触して衝撃力が減少するため、ガイド突起３３３がガイド溝３２３の一端に衝突して破損を招く恐れがなくなる。
【００５７】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００５８】
【図１】この発明による回転構造を具えた入力装置の外観を示した斜視図である。
【図２】図１に開示する入力装置の表示部を回転させた状態を示した斜視図である。
【図３】この発明における表示装置の回転構造の分解図である。
【図４】図１に開示する入力装置の表示部を回転させた状態を示した説明図である。
【図５】図１に開示する入力装置の表示部を回転しない状態を示した説明図である。
【図６】この発明における表示装置の回転構造の断面図である。
【図７】図１に開示する入力装置の表示部を回転させた状態を示した背面側の斜視図である。
【図８】この発明における回転構造を応用したストレートタイプの入力装置の斜視図である。
【図９】第２の実施例による回転構造を具えた入力装置の外観を示した斜視図である。
【図１０】第２の実施例における表示装置の回転構造の分解図である。
【図１１】第２の実施例における表示装置の回転構造の他の分解図である。
【図１２】図９に開示する入力装置の表示部の斜視図である。
【図１３】図９に開示する部分の断面図である。
【符号の説明】
【００５９】
１１１    表示部
１２      入力部
３０      ハウジング
３２１    収納室
３２２    軸孔
３２３    ガイド溝
３２４    弾性部材
３２５    キャップ
３２６    蓋体
３２７    外部表面
３２８    内部壁面
３２９    収納面
３３      回転プレート
３３１    表示面
３３２    回転軸
３３３    ガイド突起
３３５    係合溝
３４１    内表面
３４２    第１ブロック部
３４３    第２ブロック部
３４４    収納空間
３４６    貫通孔
３４７    制動孔
３５１    制動ボタン
３５１１  制動ブロック
３５１２  傾斜面
３５２    弾性体
３５３    弾性体固定部
３６１    ねじりバネ
６１      凹溝
６２      鍔部
【図１】
2006313533.tif 000003
【図２】
2006313533.tif 000004
【図３】
2006313533.tif 000005
【図４】
2006313533.tif 000006
【図５】
2006313533.tif 000007
【図６】
2006313533.tif 000008
【図７】
2006313533.tif 000009
【図８】
2006313533.tif 000010
【図９】
2006313533.tif 000011
【図１０】
2006313533.tif 000012
【図１１】
2006313533.tif 000013
【図１２】
2006313533.tif 000014
【図１３】
2006313533.tif 000015